Podtech/llm-jp-corpus-v4-ja_patent huggingface dataset:
(57)【要約】      （修正有）【課題】多用途の先端部分を容易に付け替えることができるキャップを提供する。【解決手段】キャップのオスねじ部５に希望の先端が付いたメスねじ部３を接続し鉛筆本体にはめれば、必要な用途に合わせたカスタマイズペンになり、使用している１本の鉛筆で数種類の使い方ができるようになり、さらに持ち運ぶ際に全体の容量を減らすことができる。【選択図】図１
0003222813.tif 000002
【実用新案登録請求の範囲】
【請求項１】
鉛筆キャップの一端に多用途の先端部分を着脱できる接続部を設けた、多用途ペンになることを特徴とする鉛筆に着脱できる多用途キャップ。
【請求項２】
前記鉛筆キャップ本体と前記多用途の先端部分の取り付け方法は、鉛筆キャップ本体に付いているオスねじと多用途の先端部分に付いているメスねじを締めて接続することを特徴とする請求項１記載の鉛筆に着脱できる多用途キャップ。
【考案の詳細な説明】
【技術分野】
【０００１】  本考案は、鉛筆キャップに多用途の先端部分を容易に付け替えることのできるキャップに関するものである。
【先行技術文献】
【特許文献】
【０００２】
【特許文献１】実開昭６０−１５００８３号公報
【考案の概要】
【考案の詳細な説明】
【０００３】  本考案は容易に鉛筆に着脱可能で、鉛筆に付帯すれば鉛筆キャップとして使用でき、黒鉛筆に赤色鉛筆を装着したキャップをはめれば、赤黒鉛筆になる。赤青鉛筆に黒鉛筆を装着したキャップをはめれば、赤青黒鉛筆として使えるように、本キャップを付けると、１本の鉛筆が２色、３色鉛筆に、２色鉛筆が３色、４色鉛筆になる。また蛍光ペン、ボールペン、油性マジック、万年筆、修正ペンや筆ペンなどの先端を装着すれば、１本の鉛筆が多用途のマルチペンになる。また本キャップの形状はなめらかな多角柱であるため文字が書きやすくさらにペンが転がりにくい。またカッター、ドライバー、タッチペン、ライト、スタイラスペン、ＵＳＢ、消しゴム、ハンコなどを必要に応じて装着すれば、多目的に使える。さらにメイク用のアイラインペンシルにアイブロウペンシル、リップペンシルなどを装着したキャップをはめ、１本で２、３用途使えるなど、持ち歩くにはかさばるメイク道具も用途は減らさずに容量を減らすことが出来、便利である。
【考案が解決しようとする課題】
【０００４】子供が社会見学に行くとき、また授業によって教室移動する際には、必要な教科書と文房具を探検バッグやレッスンバッグに入れて移動するが、かさばって重い筆箱を持たずに必要最低限の黒鉛筆と赤青鉛筆、消しゴムだけを持っていくことが多い。しかしカバンの中でコロコロする鉛筆や消しゴムを探すことは授業の集中を欠き、また紛失したりなどの問題点がある。また大人も同様に鉛筆や用途に合わせたペンを多数本持ち歩くことは、容量も大きくなるためできれば減らしたいと考えている。しかしながら、従来の鉛筆では１本で２色が限界であり、また鉛筆とペン、鉛筆とカッターなど、種類の違う組み合わせを簡単に自分好みにカスタマイズできるものがなかった。すでに家にある鉛筆に本キャップを付帯するだけで、希望の組み合わせペンができ、前述の欠点を解決できる。
【課題を解決するための手段】
【０００５】  多用途の先端部分をキャップ本体に装着する結合部分は、図１に示すオスねじ５のように、キャップ本体にオスねじ部分がついており、装着する多用途の先端部分には、４のように取り付け部があるメスねじ部分がついているため、ねじで固定ができる仕組みである。ねじのオス・メスは高強度のプラスチックで出来ているため軽量である。多目的の先端部分を装着する際、先端部分に触れずに装着するために、図２に示すように先端パーツ収納箱７に先端部分がセットされており、キャップ本体を回して先端部分を装着する仕様の為、指先が先端部分に触れず安全である。そのため図１に示す４の取り付け部分が必要である。故に図２に示す先端パーツ収納箱７の上部は多角形になっている。必要な先端部分を家で装着しない場合は、図２に示す先端パーツ収納箱７に入れて、先端部分を持ち運びでき、先端部分の紛失も少ないと考えられる。また鉛筆キャップに接続された先端部分は図１に示すキャップ１によって保護されている。
【考案の効果】
【０００６】  子供の社会見学や教室移動の際、また大人も外出時に多種類のペンを持ち運ぶ際に、種類は減らさず量を減らせる便利なペンが欲しいという希望があった。その際、使用する鉛筆にこうした多用途キャップを装着すれば、例えば３色の鉛筆や消しゴムを１本にすることができ、また用途に合わせた多目的のペンができ、持ち運びも楽で便利である。またキャップの形状が多角柱のため握りやすく、文字が書きやすく、さらに転がりにくい為紛失しにくい。故に本キャップを装着すれば多数の利点がある。
【図面の簡単な説明】
【０００７】
【図１】本考案の斜視図
【図２】本考案の実施例を示す斜視図
【図３】先端パーツの一例を示す斜視図
【考案を実施するための形態】
【０００８】  次に図を用いて効果を得られる形態の実施例を説明する。
【実施例】
【０００９】  図１は本考案の鉛筆キャップの実施例を示す斜視図である。１は多用途先端部分保護キャップ、２は先端パーツ、３はメスねじ、４は接続取り付け部、５はオスねじ、６は鉛筆キャップである。図２の７は先端パーツ収納箱である。【００１０】鉛筆キャップ６と先端パーツ２を接続するにはメスねじ３にオスねじ５を締める。接続方法は、鉛筆キャップ６のオスねじ５を先端パーツ収納箱７に収納されている先端部分のメスねじ３にねじ込み引き出す仕様である。直接指先が先端部分に触れないため安全に接続ができる。また先端部分を取り外す際は先端パーツ収納箱７に接続済のキャップ本体を差し入れ、ねじを回し分離する為、同様に指先が安全である。そのため接続取り付け部は多角形になっている。
【産業上の利用可能性】
【００１１】文房具業界だけでなく、工作、メイク、手芸、ハンコなど多岐にわたる業界で利用できる。
【符号の説明】
【００１２】１多用途先端部分保護キャップ
２先端パーツ
３メスねじ
４接続取り付け部
５オスねじ
６鉛筆キャップ
７先端パーツ収納箱
８鉛筆
９消しゴム
１０油性ペン
１１ボールペン
１２蛍光ペン
１３万年筆
１４筆ペン
１５タッチペン
１６ＵＳＢ
１７ライト
１８ドライバー
１９カッター
２０ハンコ
【図１】
0003222813.tif 000003
【図２】
0003222813.tif 000004
【図３】
0003222813.tif 000005
(57)【要約】      （修正有）【課題】テープやシース等で線香を束ねることなく、線香を複数本取り出す煩雑性を解消し、さらには良好な物理的剛性を有する線香を提供する。【解決手段】複数本断面形状を示す外観形状を有する線香１であって、複数本断面形状が、三本の線香をピラミッド状に束ねたような断面形状である。【選択図】図１
0003222816.tif 000002
【実用新案登録請求の範囲】
【請求項１】
複数本断面形状を示す外観形状を有する線香。
【請求項２】
前記複数本断面形状が、三本の線香をピラミッド状に束ねたような断面形状である、請求項１に記載の線香。
【考案の詳細な説明】
【技術分野】
【０００１】  本考案は、断面形状が複数本の線香を束ねたような形状を有する線香に関する。
【背景技術】
【０００２】  従来の直線型線香の使用について説明を以下に行う。【０００３】  直線型線香は、信仰上、過去・現在・未来の三界、仏・法・僧への帰依、または、その他の理由により、一度に３本をまとめて使用することがある。この場合、線香本体を収納している容器から直線型線香を一度に三本、乃至、一本ずつ三回取り出すことになり、成人健常者であっても煩雑な作業である。さらに線香取り出し時に立位作業位置から落下すると、直線型線香は、その物理的衝撃により折損し、未使用で折損した直線型線香およびその粉粒が使用環境周辺を汚染する。【０００４】  そこで、直線型線香を容器から一度に三本取り出す方法として、従来、以下のような方法が行われている。
第一の方法は、直線型線香を事前に三本に取り分けて、テープや紙片によってまとめておく方法である。第二の方法は、直線型線香を事前に三本に取り分けて筒状のシースに挿入しておく方法である。
【考案の概要】
【考案が解決しようとする課題】
【０００５】  しかしながら、第一の方法は、直線型線香を使用した際に、テープや紙片が直線型線香を使用した際の燃焼熱で加熱され、異臭を発する。さらには、使用後残渣である灰の中に異物を生じさせて、残渣灰の再利用乃至廃棄を困難にする。
第二の方法は、取り分けられる量はシースの数によって制限されてしまうほか、保存容器（シース）中の空間割合が多くなり、携帯性が損なわれる。【０００６】  従来技術の前記課題に鑑み、本考案では、テープやシース等で線香を束ねることなく、線香を複数本取り出す煩雑性を解消し、さらには良好な物理的剛性を有する線香を提供することを課題としている。
【課題を解決するための手段】
【０００７】  すなわち本考案は、前記課題を解決するものであり、外観形状が複数本断面形状を示す線香に関するものである。また、前記複数本断面形状が、三本の線香をピラミッド状に束ねたような断面形状である線香にも関するものである。
【考案の効果】
【０００８】  本考案に係る線香によれば、従来複数回手作業で行っていた線香の取り出しを一度に効率化することができ、作業時間を短縮することができる。また、線香が複数本まとまった単一形状を有することで、物理的な剛性が高いために落下しても折損しにくい。さらには単一形状であるために着火性が一定となり、着火用具の使用における安全度を向上させることができる。【０００９】  上記に加え、本考案に係る線香は、宗教用品としての使用方法のほか、香として使用することもでき、香りを安心安全かつ容易に可搬携帯使用することができる。
【図面の簡単な説明】
【００１０】
【図１】図１は、本考案の一実施形態である線香の斜視図である。
【考案を実施するための形態】
【００１１】  本考案に係る線香は、複数本断面形状を示す外観形状を有することを特徴とする。すなわち、前記線香は、基本となる線香を複数本束ねたような外観形状を有するものである。
以下、断面形状が円形または略円形である直線型の線香を基本となる線香とし、前記基本となる線香を複数本束ねたような形状である線香について説明する。
【００１２】  但し、本考案に係る線香は、基本となる線香の断面形状が円形または略円形であることや、直線型であることに限定されない。すなわち、基本となる線香の断面形状はどのような形状であってもよいし、直線型以外に渦巻き型や曲線型など製造上実現可能な形状であればどのような実施形状であってもよい。
【００１３】  本考案の一実施形態である線香の斜視図を図１に示すが、断面形状が円形または略円形である直線型線香を基本となる線香とし、それが三本束ねられたような外観形状を取る線香である。
この様な線香は、基本となる線香を三本束ねた場合の断面形状の型を作製し、当該型を用いて線香を押出製造し、一体成型することによって、本考案に係る線香を得ることができる。
【００１４】  線香の複数本断面形状に関し、線香の本数は特に限定されないが、信仰上３本の線香をまとめて使用することを鑑みると、三本の線香を各々が接するピラミッド状（三俵状）に束ねたような断面形状を示す外観形状であることが好ましく、基本となる線香が直線型であることがより好ましい。
【００１５】  本考案は前記構成を取ることにより、軸方向、ねじり方向ともに従来製品に比べて同一組成であっても剛性が付与されている。そのため、折損することが少ないまま使用場所まで携帯することが可能であり、さらには、落下等の物理的衝撃が加わった場合でも、従来と比べると折損しにくい。
【００１６】  本考案に係る線香によれば、線香の取り出しを効率化できるばかりでなく、物理的剛性が高いために落下や運搬による折損を低減することができる。さらには単一形状であるために着火性が一定となり、着火用具の使用における安全度を向上させることができる。
また、本製品に人体への影響がない、もしくは法及び公衆衛生指針等に基づく数値が軽微である物質を含有すれば、宗教用品や香用品としてのほか、建築物等の虫獣害の駆除及び防止、黴防止に寄与する他、火気の安全性が担保できれば、災害時の避難場所等における虫媒介伝染病の防止にも利用することができる。
【符号の説明】
【００１７】１  線香
【図１】
0003222816.tif 000003
(57)【要約】      （修正有）【課題】丈夫で見栄えの良い、しかも、書籍への装着が容易であるばかりか、使用可能期間が長い和服の帯を用いたブックカバーを提供する。【解決手段】和服の帯を用いたブックカバーＡは、和服の帯の上端を折り返して下端と結合することにより横方向に延びる筒状にされ、書籍Ｂの表表紙と裏表紙の夫々の端部を差し込めるように両端が解放状態とされている。【選択図】図２
0003222889.tif 000002
【実用新案登録請求の範囲】
【請求項１】
和服の帯の上端を折り返した下端を結合することにより横方向に延びる筒状にすると共に書籍の表表紙と裏表紙の夫々の端部を差し込めるように両端を解放状態としていることを特徴とする和服の帯を用いたブックカバー。
【考案の詳細な説明】
【技術分野】
【０００１】  本考案は、書籍を保護するブックカバーに関するものであり、特に、和服の使用しなくなった帯を加工（リメイク）することで、丈夫で見栄えの良い、しかも、前記書籍への装着が容易であるばかりか、使用可能期間が長いブックカバーの提供に関するものである。
【背景技術】
【０００２】  ブックカバーとしては、紙製、合成樹脂製、革製などのものがあるが、それ自体の耐久性や重量、使用感（手触り）、書籍への影響などの観点を考慮すると布製のものが好適であり、例えば下記特許文献１で開示されているように、種々のものが知られ、実用化されている。
【先行技術文献】
【特許文献】
【０００３】
【特許文献１】特開２０１６−８８０７２号公報
【考案の概要】
【考案が解決しようとする課題】
【０００４】  斯かる布製ブックカバーは、手触りが優しく、軽量で、書籍に合わせて装着しやすいなどの利点を有するものの、外側が擦れたり汚れたりして破損しやすいなどの耐久性の点で問題がある。【０００５】  本考案は、このような従来例が有していた課題を解決しようとするものであり、布製でありながら耐久性に優れるブックカバーの提供を目的とする。
【課題を解決するための手段】
【０００６】  本考案の和服の帯を用いたブックカバーは、和服の帯の上端を折り返した下端を結合することにより横方向に延びる筒状にすると共に書籍の表表紙と裏表紙の夫々の端部を差し込めるように両端を解放状態としていることを特徴とするものである。
【考案の効果】
【０００７】  本考案によれば、できる。
【図面の簡単な説明】
【０００８】
【図１】  本考案の実施形態を示す斜視図である。
【図２】  同上の使用状態を示す説明図である。
【考案を実施するための形態】
【０００９】  以下、本考案の実施形態について、添付図面に従い説明する。
【００１０】  Ａは、本考案に係る和服の帯を用いたブックカバーであり、和服の使用しなくなった帯を加工（リメイク）、すなわち、上端を折り返した下端を結合（縫合）することにより横方向に延びる筒状にすると共に両端を解放状態としている（図１参照）。
【００１１】  ここで、縦方向の寸法は、使用予定の書籍Ｂの背高に合わせて若干の余裕（数センチ）を持たせた長さであり、横方向の寸法は、同じく書籍Ｂの周囲を覆うに必要な長さを考慮してその書籍Ｂの表表紙と裏表紙の夫々の端部の数センチを前記筒状の両端に差し込める長さである。
【００１２】  ところで、一般的な和服の帯は、絹製で相応のデザインが施されており、このブックカバーＡでは、外側（書籍Ｂの装着時に外部に露出する面）１と内側（書籍Ｂの装着時に書籍Ｂに接する面）２とに前記帯の外側（和服への使用時に露出する面）が位置する。
【００１３】  そして、ブックカバーＡの左右両端の開放されている筒状開口部３、４に書籍Ｂの表表紙と裏表紙の夫々の端部を差し込んで、ブックカバーＡ全体が書籍Ｂの外周面を覆うように前記端部の差し込み量を調整して筒状開口部３、４の近傍個所を書籍Ｂに合わせて１８０度内側（書籍Ｂ側）へ折り曲げることにより、ブックカバーＡを書籍Ｂへ装着する（図２参照）。
【００１４】  これにより、一般的な布製のものと比較して、斯かるブックカバーＡは、手触りが優しく、軽量で、書籍に合わせて装着しやすいなどの利点は同等程度でありながら、外側が擦れたり汚れたりして破損した場合には、外側１と内側２とを交換することにより、更にそれまでの使用期間と同程度の期間継続して使用することができるため耐久性を向上させることができる。
【００１５】  昨今の着物離れで反物が着物として売れ細る現状で、本考案により消えゆく伝統織物等の利用分野を広げ、あるいは、古着として廃棄される帯をリメイクして新な価値の創造を行えるものである。
【００１６】  特に、実用品のみならず、装飾品としても用いることができ、あるいは、帯の柄を用いて書籍の分類にも使用できる。
【００１７】  なお、本考案のブックカバーは、例えば訪日した外国人へのおもてなしやお土産としての利用も可能である。
【符号の説明】
【００１８】  Ａ和服の帯を用いたブックカバー
１  外側
２  内側
３、４  開口部
Ｂ  書籍
【図１】
0003222889.tif 000003
【図２】
0003222889.tif 000004
(57)【要約】      （修正有）【課題】磁石により車に取り付け出来るひざ掛けを提供する。【解決手段】保温性のある布に磁石を数個取り付け、車の運転席若しくは助手席の前方パネルに布の磁石に対応するようにステンレス板を貼り付け、それぞれを接続する。【選択図】図５
0003222888.tif 000002
【実用新案登録請求の範囲】
【請求項１】
自動車の運転席及び助手席の前方パネル下部に有る空調吹き出し口から出てくる温風を腰下から前方パネルまでを保温性の有る布で覆い暖房が逃げないようにする、平面ファスナーで接続された４枚から成るひざ掛け。
【請求項２】
保温性の有る布に磁石を数個取り付けそれに対する車体の前方パネルに貼り付けるステンレスの板が付属する請求項１のひざ掛け。
【請求項３】
保温性の有る布に取り付けられた磁石に対応するように、車の前方パネル及びハンドル軸下に貼り付けられたステンレス板と磁石を接続することにより、腰下からハンドルの間に密閉された空間を作り、空調口から出てくる暖気を膝上に溜めて腰から膝を温める事が出来る請求項１及び請求項２のひざ掛け。
【請求項４】
保温性の有る４枚の布の平面ファスナーで接続された３か所の部分の、１か所は運転席と助手席がウォークスルーになっている車用の布の取り付け部分で、その他の２ヵ所で、車のサイズに合わせて長さが調節出来るよにした請求項３のひざ掛け。
【請求項５】
保温性の有る布は表と裏を使い分けることで、運転席用と助手席用に使い分けが出来る請求項４のひざ掛け。
【考案の詳細な説明】
【技術分野】
【０００１】  本考案は、磁石により車に取り付け出来るひざ掛けに関するものである。
【背景技術】
【０００２】  車の防寒には部屋で使用しているひざ掛けを使用するか、シガーソケットから電源を取って電気式のひざ掛けを使用していた。又、車専用のひざ掛けも、足元の隙間が多く保温効果が少なかった。
【先行技術文献】
【特許文献】
【０００３】
【特許文献１】実用新案登録第３１９２０３５号（Ｕ３１９２０３５）
【０００４】
【特許文献２】公開特許公報（Ａ）特開２００８−３８３０８（Ｐ２００８−３８３０８Ａ）
【０００５】
【特許文献３】実用新案登録第３１１９８４１号（Ｕ３１１９８４１）
【０００６】
【特許文献４】登録実用新案公報（Ｕ）第３０３０５３８号
【０００７】
【特許文献５】公開実用新案公報（Ｕ）実開平６−９０２
【考案の概要】
【考案が解決しようとする課題】
【０００８】  一般のひざ掛けは車の温風が足元にあたるのを遮り、車専用のひざ掛けは足元の隙間が多く、それぞれ暖房効果が少ない。車から電源を取るひざ掛けは車に負担がかかる。そこで、腰から下を隙間無く覆い付け外しが簡単にし、前述の欠点を解決しようとするものである。
【課題を解決するための手段】
【０００９】  本考案は、ひざ掛けと車の前方パネルをステンレス板と磁石で接続し、腰から下全体を広く覆うことにより隙間が無い空間を作り、効率の良い暖房効果を得ようとするものである。又、磁石による接続の為、付け外しが非常に容易である。
【考案の効果】
【００１０】  上記の様に、腰から下の暖房は非常に効率的で走行中車の窓を開けても暖房効果にあまり変化がなく、エンジンを止めて温風が出なくなってもしばらくは温かみが残る。
【図面の簡単な説明】
【００１１】
【図１】本考案の保温性の有る４枚の布を離した正面図である。
【図２】本考案の保温性の有る４枚の布を接続した正面図である。
【図３】本考案のステンレス板を取り付けた運転席の正面図である。
【図４】本考案のステンレス板を取り付けた運転席の斜面図である。
【図５】本考案のステンレス板に保温性のある布を取り付けた斜面図である。
【考案を実施するための形態】
【００１２】  ４枚に分かれた保温性の有る布を車の大きさに合わせて調節し、接続する。Ａ４の布は、運転席と助手席がウオークスルーの車のみ接続する。１枚に接続された布を車の前方パネルに充て、磁石に対応する場所にステンレス板を張り付ける。ハンドル軸に下方も同様である。ステンレス板を貼り付ければ、保温性の有る布は磁石により、近づけるだけで自然に吸着する。
【符号の説明】
【００１３】Ａ    保温性の有る布を４枚合わせたもの。
Ａ１  中心になる保温性の有る布でハンドル軸に接続する磁石を有する。
Ａ２  ドア側の保温性の有る布で、車のパネル前方の側面に回り込ませる様に曲線を持たせている。
Ａ３  車の中心側の保温性の有る布。
Ａ４  運転席と助手席がウオークスルーの車に使用する保温性の有る布。
Ｂ    磁石
Ｂ２  ハンドル軸に接続する磁石
Ｃ    平面ファスナー
Ｓ    ステンレス板
【図１】
0003222888.tif 000003
【図２】
0003222888.tif 000004
【図３】
0003222888.tif 000005
【図４】
0003222888.tif 000006
【図５】
0003222888.tif 000007
(57)【要約】      （修正有）【課題】災害発生等の非常時に階段における避難誘導に好適な自発光式の視線誘導装置を提供する。【解決手段】視線誘導装置１を、下面のみが開放されると共に一側面のみに複数の透孔２ａが穿設された透明樹脂製の筐体２と、筐体２の内側上面に配置されたソーラーパネル３と、透孔２ａに嵌め込まれる複数のＬＥＤ４と、筐体１内の隙間７に樹脂８を充填して埋め込まれる電源部５及びＬＥＤ発光制御部６と構成し、階段の上端部に形成した切欠き凹所に嵌合固着する。【選択図】図３
0003222441.tif 000002
【実用新案登録請求の範囲】
【請求項１】
下面のみが開放されると共に一側面のみに複数の透孔が穿設された透明樹脂製の筐体と、当該筐体の内側上面に配置されたソーラーパネルと、前記透孔に嵌め込まれる複数のＬＥＤと、筐体内に樹脂を充填して埋め込まれる電源部及びＬＥＤ発光制御部とからなることを特徴とする階段の視線誘導装置。
【請求項２】
階段の上端部に形成した切欠き凹所に嵌合固着してなることを特徴とする請求項１記載の階段の視線誘導装置。
【請求項３】
ＬＥＤ発光制御部により複数のＬＥＤを順番にリレー発光させることを特徴とする請求項１又は請求項２記載の階段の視線誘導装置。
【考案の詳細な説明】
【技術分野】
【０００１】
本考案は、災害時の避難経路となる階段に設置してＬＥＤを自発光させることにより、夜間あるいは停電時に歩行者を安全に避難誘導する視線誘導装置に関するものである。
【背景技術】
【０００２】
従来から、学校や劇場ホール等の施設において、災害等の停電時の安全確保のため、廊下や階段等の歩行通路に発光表示体を配置して、避難誘導することが行われている。
【０００３】
しかしながら、表示体の多くは照明の光源として白熱灯や蛍光灯が使用され、寿命が短く頻繁な電球交換を要するばかなりでなく、消費電力が大きくまた限られた狭小なスペースには設置が困難であった。
【０００４】
一方、車道の中央分離帯や路側帯等に設置されるブリンカーライトのような自発光式の視線誘導灯が知られている。例えば、ＬＥＤ式発光部が上下方向に２ヶ所設けられ、夜間のみならず昼間も２ヶ所のＬＥＤ式発光部を交互に点滅させて前方から接近する車両の運転者に対して視線を誘導し、中央分離帯や路側帯等の存在を知らしめるように注意喚起を行うもの（特許文献１参照。）。また、薄暮時には、１色の発光では目立ち難くなり、車両運転者に十分な注意喚起がなされないおそれがあるため、発光色が異なる複数のＬＥＤを設けて２色以上同時に発光させる構成とするＬＥＤ式発光部を備えた自発光型視線誘導灯（特許文献２参照。）等が提案されている。
【０００５】
同様に、自発光式視線誘導灯の具体的な例として、ＬＥＤ及び太陽電池を有する発光・発電部を備える縦長筒状のポール本体と、前記太陽電池により発電した電気を蓄電すると共に、ＬＥＤに給電する蓄電池が収納された蓄電部とを備えたものが提案されている（特許文献３参照。）。
【先行技術文献】
【特許文献】
【０００６】
【特許文献１】実用新案登録第３１８１３３６号公報
【特許文献２】実用新案登録第３２０３３４６号公報
【特許文献３】特開２０１３−１０８２６８号公報
【考案の概要】
【考案が解決しようとする課題】
【０００７】
本考案もまた、上記従来技術の課題に鑑み案出されたものであり、とくに階段における避難誘導に好適な自発光式の視線誘導装置を提供することを目的とする。
【課題を解決するための手段】
【０００８】
そこで、本考案に係る階段の視線誘導装置は、下面のみが開放されると共に一側面のみに複数の透孔が穿設された透明樹脂製の筐体と、当該筐体の内側上面に配置されたソーラーパネルと、前記透孔に嵌め込まれる複数のＬＥＤと、筐体内に樹脂を充填して埋め込まれる蓄電部及びＬＥＤ発光制御部とからなることを第１の特徴とする。また、階段の上端部に形成した切欠き凹所に嵌合固着してなることを第２の特徴とする。さらに、ＬＥＤ発光制御部により複数のＬＥＤを順番にリレー発光させることを第３の特徴とする。
【考案の効果】
【０００９】
本考案によれば、夜間や非常時において、避難経路にある階段の視認性を高めて階段の踏み外しを防止し、円滑な避難誘導を図ることができる。
【図面の簡単な説明】
【００１０】
【図１】本考案に係る視線誘導装置の一実施例を示す斜視図である。
【図２】本考案に係る視線誘導装置の一実施例を示す（ａ）は正面図、（ｂ）は平面図、（ｂ）は底面図である。
【図３】（ａ）は図２のＡ−Ａ線断面図、（ｂ）は図２のＢ−Ｂ線断面図である。
【図４】本考案に係る視線誘導装置を階段に設置した状態を示す斜視図である。
【考案を実施するための形態】
【００１１】
以下、本考案に係る好適な実施形態を図面に示す実施例を参照しながら説明する。
【実施例】
【００１２】
図１乃至図３に示すように、本考案に係る視線誘導装置１は、下面のみが開放されると共に一側面のみに複数の透孔２ａが穿設された透明樹脂製の筐体２と、この筐体２の内側上面に配置されたソーラーパネル３と、複数の透孔２ａに嵌め込まれる複数のＬＥＤ４と、筐体２内の隙間７に樹脂８を充填して埋め込まれる電源部（蓄電池）及びＬＥＤ４の発光及び消灯のオンオフを制御するＬＥＤ発光制御部６とから構成されている。
【００１３】
ＬＥＤ４は極めて長寿命であって実質的にメンテナンスフリーであり、消費電力が少ないため経済性にも優れている。
【００１４】
図４において１０は階段で、階段１０の上端部、すなわち、各段の上面と垂直面との角部に切欠き凹所９を形成して、この切欠き凹所９に視線誘導装置１を接着剤等により嵌合固着して配置する。これにより、夜間や非常時等において階段１０の視認性を高めることができ、階段１０の踏み外しを防止し、円滑な避難誘導を図ることができる。
【００１５】
視線誘導装置１は上述したように階段の角部に埋設した状態で設置するものであるが、ＬＥＤ４面が階段の垂直面に位置するよう配置することが好ましい。
【００１６】
このように光源としてＬＥＤ４を用いることにより、階段１０の狭小な箇所にも設置することが可能となる。また、ＬＥＤ４はその発光制御も単純化することができる。尚、視線誘導装置１は、ＬＥＤ発光制御部６により電源部５への太陽光や照明による蓄電を行い、夜間あるいは消灯時に電源部５からの送電をオンして自発光するものであるが、複数のＬＥＤ４を順番にリレー発光する制御を行って、アイキャッチ性を向上させることもできる。
【産業上の利用可能性】
【００１７】
本考案は、住宅街や市街地の階段、高台にある公園や避難場所への階段に設置することも勿論可能であり、他の避難誘導表示あるいは避難誘導灯と併用することで極めて有用になる。
【符号の説明】
【００１８】
１    視線誘導装置
２    筐体
２ａ  透孔
３    ソーラーパネル
４    ＬＥＤ
５    電源部（蓄電池）
６    ＬＥＤ制御部
７    隙間
８    充填材（樹脂）
９    切欠き凹所
１０  階段
【図１】
0003222441.tif 000003
【図２】
0003222441.tif 000004
【図３】
0003222441.tif 000005
【図４】
0003222441.tif 000006
(57)【要約】      （修正有）【課題】疲労による金型の亀裂損傷や熱磨耗を大幅に低減し、金型の使用寿命を大幅に改善することができ、且つコストが低いパンチ金型を提供する。【解決手段】ダイセット１と、ブッシング３と、パンチ本体１０とを備え、ダイセット１にはパンチ本体１０に適合するコア２が設けられ、ダイセット１上のコア２に対応する位置にブッシング３が配置され、ブッシング３はボルト４でダイセット１に固定され、且つブッシング３の中部にはコア２に適合する収容溝５が設けられ、パンチ本体１０の頭部はブッシング３の収容溝５に埋め込まれ、ブッシング３には貯油溝６と流体誘導溝７が設けられ、且つ貯油溝６と流体誘導溝７が連通する。【選択図】図１
0003222496.tif 000002
【実用新案登録請求の範囲】
【請求項１】
ダイセットと、ブッシングと、パンチ本体とを備え、前記ダイセットにはパンチ本体に適合するコアが設けられ、前記ダイセット上のコアに対応する位置にブッシングが配置され、前記ブッシングはボルトでダイセットに固定され、且つブッシングの中部にはコアに適合する収容溝が設けられ、前記パンチ本体の頭部はブッシングの収容溝に埋め込まれ、前記ブッシングには貯油溝と流体誘導溝が設けられ、且つ貯油溝と流体誘導溝が連通するパンチ金型。
【請求項２】
前記ブッシングの内側壁には、一組のリミットストップが対称的に配置され、リミットストップ同士はバネによって接続されることを特徴とする請求項１記載のパンチ金型。
【請求項３】
前記パンチ本体は、リミットストップ及びバネによってブッシングの収容溝内に取外し可能に装着されることを特徴とする請求項１記載のパンチ金型。
【請求項４】
前記ブッシングの材料はシリカゲルであることを特徴とする請求項１記載のパンチ金型。
【考案の詳細な説明】
【技術分野】
【０００１】
本考案は、金型技術の技術分野に関し、特にパンチ金型に関する。
【背景技術】
【０００２】
プレスプロセスでは、圧力が大きいため、パンチ折れや破損が発生しやすい。この欠点を改善するために、現在ブッシングが広く使用されてパンチを保護することとしているが、それに伴ってパンチの取り外しが不便になる問題がある。また、疲労による亀裂損傷と熱磨耗の二つは熱鍛金型の破損の主な原因であり、それゆえに金型の寿命が短く、操作が煩雑で、作業効率が大きく低下し、加工品質が確保しにくく、工業化コストが高い。
そこで、上記課題を解決するために、本考案は新しい技術的な解決策を提案する。
【考案の概要】
【考案が解決しようとする課題】
【０００３】
本考案の目的は、構造が簡単であり、実用性が高く、寿命が長いパンチ金型を提供することにある。
【課題を解決するための手段】
【０００４】
上記の技術的な欠陥に対して、本考案が採用する技術的な解決策は、
ダイセットと、ブッシングと、パンチ本体とを備え、前記ダイセットにはパンチ本体に適合するコアが設けられ、前記ダイセット上のコアに対応する位置にブッシングが配置され、前記ブッシングはボルトでダイセットに固定され、且つブッシングの中部にはコアに適合する収容溝が設けられ、前記パンチ本体の頭部はブッシングの収容溝に埋め込まれ、前記ブッシングには貯油溝と流体誘導溝が設けられ、且つ貯油溝と流体誘導溝が連通するパンチ金型とする。
【０００５】
また、前記ブッシングの内側壁には、一組のリミットストップが対称的に配置され、リミットストップ同士はバネによって接続される。
【０００６】
また、前記パンチ本体は、リミットストップ及びバネによってブッシングの収容溝内に取外し可能に装着される。
【０００７】
また、前記ブッシングの材料はシリカゲルである。
【考案の効果】
【０００８】
本考案の有益な効果は、本考案は構造が簡単で、ブッシングに互いに連通している貯油溝と流体誘導溝が設けられるので、疲労による金型の亀裂損傷や熱磨耗を大幅に低減し、金型の使用寿命を大幅に改善することができ、さらにバネ及びリミットストップによってパンチの取外しが容易く、便利で実用的で且つコストが低い。
【図面の簡単な説明】
【０００９】
【図１】本考案の構造の概略図である。
【考案を実施するための形態】
【００１０】
本考案のより良い理解のために、以下、実施形態と図面に基づいて本考案をさらに詳細に説明するが、該実施形態は本考案を説明するためのものであり、本考案の保護範囲を限定するものではない。
【００１１】
図1に示されるのは、ダイセット１と、ブッシング３と、パンチ本体１０とを備え、ダイセット１にはパンチ本体１０に適合するコア２が設けられ、ダイセット１上のコア２に対応する位置にブッシング３が配置され、ブッシング３はボルト４でダイセット１に固定され、且つブッシング３の中部にはコア２に適合する収容溝５が設けられ、前記パンチ本体１０の頭部はブッシング３の収容溝５に埋め込まれ、前記ブッシング３には貯油溝６と流体誘導溝７が設けられ、且つ貯油溝６と流体誘導溝７が連通するパンチ金型である。
【００１２】
本実施形態では、ブッシング３の内側壁には、一組のリミットストップ８が対称的に配置され、リミットストップ８同士はバネ９によって接続され、バネ９の伸縮によってリミットストップ８同士の間隔を調整する。
【００１３】
本実施形態では、パンチ本体１０は、リミットストップ８及びバネ９によってブッシング３の収容溝５内に取外し可能に装着され、そのためパンチの取外しが容易く、便利で実用的である。
【００１４】
本実施形態では、ブッシング３の材料はシリカゲルで、熱安定性が良好とともに機械強度が高い。
【００１５】
本考案の有益な効果は、本考案は構造が簡単で、ブッシングに互いに連通している貯油溝と流体誘導溝が設けられるので、疲労による金型の亀裂損傷や熱磨耗を大幅に低減し、金型の使用寿命を大幅に改善することができ、且つコストが低い。
【００１６】
以上は単に本考案の好ましい実施形態のみであり、本考案を任意の他の形式で限定するものではなく、本考案の技術的な本質に基づいて任意の変更および等効変換は、依然として本考案の特許保護範囲に含まれる 。
【符号の説明】
【００１７】
１  ダイセット
２  コア
３  ブッシング
４  ボルト
５  収容溝
６  貯油溝
７  流体誘導溝
８  リミットストップ
９  バネ
１０  パンチ本体とを
【図１】
0003222496.tif 000003
(57)【要約】      （修正有）【課題】旗竿の抜き差しの労力と時間の減少が実現でき、かつ、安全性が確保されるパット専用旗竿を提供する。【解決手段】パット時以外は既存の旗竿に連結できることを特徴とするパット専用旗竿であって、カップ内及び地表から２ｃｍ程度の竿径３ａがゴルフボールの半径より短く、ゴルフボールの跳ね返りに影響しないよう細くなっており、カップ内の容積及び開口部が多く確保される。【選択図】図１
0003222499.tif 000002
【実用新案登録請求の範囲】
【請求項１】
ゴルフ場等のグリーンで使用するパット専用の旗竿で、パット時以外は既存の旗竿に連結できるもの。また、カップ内及び地表から２ｃｍ程度（ゴルフボールの半径より短く、ボールの跳ね返りに影響しない長さ。）の竿径が細くなっており、カップ内の容積及び開口部が多く確保されるもの。プレーの労力や時間の減少が実現でき、かつ、安全性が確保される。
【考案の詳細な説明】
【技術分野】
【０００１】  本考案は、ゴルフ場等のグリーンで使用するパット専用の短い旗竿で、従来の旗竿（長さ約２．５ｍ程度）に連結でき、また、カップ内及び地表から２ｃｍ程度の竿径が細くなっているものである。
【背景技術】
【０００２】  ゴルフでパットをする際、旗竿を抜く抜かないはプレイヤーの任意である。従来の旗竿は約２．５ｍ程度のものが主流で、長さとその重量から、旗竿の抜き差しは労力負担やプレーの迅速な進行の障害となっていた。また、旗竿を刺したままカップに入ったボールを拾い上げることは、カップ内の容積及び開口部が狭いため困難である。
一方、旗竿がグリーンに刺してるあるか否かは、後続プレーヤーにとってホールアウトしたか否かの目安となっている。旗竿が刺された状態でパットをする場合、プレーヤーがまだグリーンにいるにもかかわらず、ホールアウトしたと見えてしまう。特にグリーン面が高所にあり、人が見えずに旗しか見えないようなホールでは打球事故の原因となっている。
【先行技術文献】
【特許文献】
【０００３】なし
【非特許文献】
【０００４】なし
【考案の概要】
【考案が解決しようとする課題】
【０００５】  従来の旗竿の抜き差しには、労力と時間を要する。また、旗竿が刺してある状態で、カップインしたボールを拾い上げることは困難である。旗竿の有無で後続プレーヤーがホールアウトしたか否か判断できない。
【課題を解決するための手段】
【０００６】  パット専用の短い旗竿を考案し、パット時以外は既存の旗竿と連結して使用する。パット時には、既存の旗竿のみを抜き、パット専用の旗竿はプレイヤー毎に任意で抜き差しする。旗竿が刺さった状態でも、カップインしたボールの拾い上げが容易なよう、カップ内及び地表から２ｃｍ程度の竿径を細くする。
パット終了時には、従来の旗竿を短いパット専用旗竿に連結し、ホールアウトの合図とする。
【考案の効果】
【０００７】  本考案は、前記のとおり旗竿の重量と長さを減少させたもので、抜き差しに係る手間と労力を解消し、プレーの迅速な進行に寄与する。また、カップ内及び地表から２ｃｍ程度の竿径を細くすることで、カップインしたボールの拾い上げが容易となる。ホールアウト後は従来の旗竿を掲げることで、ホールアウトしたか否かが明確になり安全性の向上と打球事故の防止に有効である。
【図面の簡単な説明】
【０００８】
【図１】  本考案のパット専用旗竿構造の一実施例を示す正面図である。
【図２】  本考案と従来の旗竿を連結した立面図である。
【考案を実施するための形態】
【０００９】  パット専用旗竿は長さ約６０ｃｍから９０ｃｍとし、プレイヤーが直立のまま抜きやすい長さとする。また、軽量な材質とする。
地面に刺す部分と地表から２ｃｍまでの竿径を細くし、カップ内の有効容積及び開口部を多く確保するものとする。
また、下端は既存のグリーンカップに差し込める形状及び寸法とし、その上端は従来の旗竿が差し込める形状及び寸法とする。
【実施例】
【００１０】  以下、添付図面に従って一実施例を説明する。
１は従来の旗竿が差し込める穴あき形状、寸法とする。
２は軽量な金属あるいは樹脂、繊維製とする。
３はグリーンカップに差し込める形状、寸法とする。
【符号の説明】
【００１１】  １    旗竿上端部
２    旗竿ポール
３ａ  旗竿下端部竿径が細い部分
３ｂ  旗竿下端部埋め込み部分
４    従来の旗竿（赤色で示す。）
５    本考案のパット専用旗竿
【図１】
0003222499.tif 000003
【図２】
0003222499.tif 000004
【手続補正書】
【提出日】令和1年5月8日(2019.5.8)
【手続補正１】
【補正対象書類名】実用新案登録請求の範囲
【補正対象項目名】全文
【補正方法】変更
【補正の内容】
【実用新案登録請求の範囲】
【請求項１】
パット時以外は既存の旗竿に連結できることを特徴とするパット専用旗竿。
【請求項２】
カップ内及び地表から２ｃｍ程度の竿径がゴルフボールの半径より短く、ゴルフボールの跳ね返りに影響しないよう細くなっており、カップ内の容積及び開口部が多く確保されることを特徴とするパット専用旗竿。
(57)【要約】      （修正有）【課題】一種の多層構造を備え、便利で実用的で、かつコストの低いパンチブッシュを提供する。【解決手段】底部ブッシュ２と、内部ブッシュ３と、表面ブッシュ４とを備えるブッシュ本体１を含み、底部ブッシュ、内部ブッシュ、および表面ブッシュは、内側から外側に順次に積層されて一体構造を形成し、ブッシュ本体には底部ブッシュに対応する位置にパンチに適合する収容溝５が設けられ、表面ブッシュの中に摩耗検知領域６が設置され、摩耗検知領域の下端はバネによって底部ブッシュの上端に接続され、内部ブッシュにはバネを収容する貫通溝が設けられ、貫通溝８の両端が表面ブッシュおよび底部ブッシュと連通するパンチブッシュを開示する。底部ブッシュと、内部ブッシュと、表面ブッシュとを備える多層構造のブッシュを提供し、表面ブッシュにある摩耗検出領域は、底部ブッシュの位置をバネによって微調整する。【選択図】図１
0003222497.tif 000002
【実用新案登録請求の範囲】
【請求項１】
ブッシュ本体は底部ブッシュと、内部ブッシュと、表面ブッシュとを含み、
前記底部ブッシュ、前記内部ブッシュ、および前記表面ブッシュは、内側から外側に順次に積層されて一体構造を形成し、
前記ブッシュ本体には前記底部ブッシュに対応する位置にパンチに適合する収容溝が設けられ、
前記表面ブッシュの中に摩耗検知領域が設置され、前記摩耗検知領域の下端はバネによって前記底部ブッシュの上端に接続され、
前記内部ブッシュにはバネを収容する貫通溝が設けられ、
底部ブッシュ貫通溝の両端が表面ブッシュおよび底部ブッシュと連通することを特徴とする、ブッシュ本体を備えるパンチブッシュ。
【請求項２】
前記表面ブッシュの内側側壁に肩部が設置され、
前記内部ブッシュと底部ブッシュは前記肩部により、表面ブッシュの内部に嵌め込まれることを特徴とする請求項１記載のパンチブッシュ。
【請求項３】
前記底部ブッシュと内部ブッシュとの間には隙間があり、底部ブッシュはバネによって表面ブッシュの内部にその位置を微調整することを特徴とする請求項１記載のパンチブッシュ。
【考案の詳細な説明】
【技術分野】
【０００１】
本考案は、ブッシュに関し、特にパンチブッシュに関する。
【背景技術】
【０００２】
プレス加工工程では、パンチは大きい圧力を受けるため、折れるまたは破損することが起こりやすい。この欠点を改善するために、パンチを保護するためにブッシュが現在広く使用されているが、実際の使用では、ブッシュとの長期間の摩擦も金型のパンチの摩耗を引き起こす。そのため設計者は設計時に硬度が低く、耐摩耗性に優れた材料をブッシュの材料として選ぶことで、摩耗を減らすことができる。しかし、過度に摩耗したブッシュが速やかに交換されないと、それはまた、金型のパンチの摩耗を引き起こしてしまう。従って前記ブッシュの実用性が低く、且つコストが高い。
【０００３】
従って、上記課題を解決するために、本考案は新しい技術的な解決策を提案する。
【考案の概要】
【考案が解決しようとする課題】
【０００４】
本考案の目的は、一種の多層構造を備え、便利で実用的で、かつコストの低いパンチブッシュを提供する。
【課題を解決するための手段】
【０００５】
上記の技術的な欠陥に対して、本考案が採用する技術的な解決策は：
ブッシュ本体を備え、前記ブッシュ本体は底部ブッシュと、内部ブッシュと、表面ブッシュとを含み、前記底部ブッシュ、内部ブッシュ、および表面ブッシュは、内側から外側に順次に積層されて一体構造を形成し、前記ブッシュ本体には底部ブッシュに対応する位置にパンチに適合する収容溝が設けられ、前記表面ブッシュの中に摩耗検知領域が設置され、摩耗検知領域の下端はバネによって底部ブッシュの上端に接続され、前記内部ブッシュにはバネを収容する貫通溝が設けられ、貫通溝の両端が表面ブッシュおよび底部ブッシュと連通するパンチブッシュである。
【０００６】
また、前記表面ブッシュの内側側壁に肩部が設置され、前記内部ブッシュと底部ブッシュは肩部により、表面ブッシュの内部に嵌め込まれる。
【０００７】
また、前記底部ブッシュと内部ブッシュとの間には隙間があり、底部ブッシュはバネによって表面ブッシュの内部にその位置を微調整する。
【考案の効果】
【０００８】
本考案の有益な効果は、本考案は、底部ブッシュと、内部ブッシュと、表面ブッシュとを備える多層構造のブッシュを提供し、表面ブッシュにある摩耗検出領域は、底部ブッシュの位置をバネによって微調整し、それゆえ表面ブッシュが過度に磨耗しても、底部ブッシュには影響を及ぼすことなく、金型のパンチの磨耗を防ぐことができ、便利で実用的で、かつコストが低い。
【図面の簡単な説明】
【０００９】
【図１】本考案の構造の概略図である。
【考案を実施するための形態】
【００１０】
図1に示すのは、ブッシュ本体１を備え、ブッシュ本体１は底部ブッシュ２と、内部ブッシュ３と、表面ブッシュ４とを含み、底部ブッシュ２、内部ブッシュ３、および表面ブッシュ４は、内側から外側に順次に積層されて一体構造を形成し、ブッシュ本体１には底部ブッシュ２に対応する位置にパンチに適合する収容溝５が設けられ、表面ブッシュ４の中に摩耗検知領域６が設置され、摩耗検知領域６の下端はバネ７によって底部ブッシュ２の上端に接続され、内部ブッシュ３にはバネ７を収容する貫通溝８が設けられ、貫通溝８の両端が表面ブッシュ４および底部ブッシュ２と連通するパンチブッシュである。
【００１１】
本実施形態では、表面ブッシュ４の内側側壁に肩部９が設置され、内部ブッシュ３と底部ブッシュ２は肩部９により、表面ブッシュ４の内部に嵌め込まれる。表面ブッシュ４で覆われるため、内部ブッシュ３と底部ブッシュ２は摩耗することはない。
【００１２】
本実施形態では、底部ブッシュ２と内部ブッシュ３との間には隙間１０があり、底部ブッシュ２はバネ７によって表面ブッシュ４の内部にその位置を微調整することで、表面ブッシュ４が過度に磨耗しても、底部ブッシュ２には影響を及ぼすことなく、金型のパンチの磨耗を防ぐことができる。
【００１３】
本考案の有益な効果は、本考案は、底部ブッシュと、内部ブッシュと、表面ブッシュとを備える多層構造のブッシュを提供し、表面ブッシュにある摩耗検出領域は、底部ブッシュの位置をバネによって微調整し、それゆえ金型のパンチの磨耗を防ぐことができ、便利で実用的で、かつコストが低い。
【００１４】
以上は単に本考案の好ましい実施形態のみであり、本考案を任意の他の形式で限定するものではなく、本考案の技術的な本質に基づいて任意の変更および等効変換は、依然として本考案の特許保護範囲に含まれる 。
【符号の説明】
【００１５】
１  ブッシュ本体
２  底部ブッシュ
３  内部ブッシュ
４  表面ブッシュ
５  収容溝
６  摩耗検知領域
７  バネ
８  貫通溝
９  肩部
１０  隙間
【図１】
0003222497.tif 000003
(57)【要約】      （修正有）【課題】高速道路の出口での自動車の逆走を感知し、ランプを点灯させる通信システムを提供する。【解決手段】高速道路の出口で逆走する自動車６を感知するセンサー３と、前記センサーで逆走する自動車を感知した際に、警察に通報する通信機２と、前記センサーで逆走する自動車を感知した際に、開閉動作を行う扉式バー１と、逆走車の車上に設けられた通信機能付きランプ４であって、前記センサーによって逆走していることを感知した際に、点灯する通信機能付きランプと、を備えた。【選択図】図１
0003222401.tif 000002
【実用新案登録請求の範囲】
【請求項１】
高速道路の出口で逆走する自動車をセンサーで感知し、通信機で警察に通報し、扉式バーを開閉し、逆走する自動車の車上のランプを点灯させるシステム
【考案の詳細な説明】
【技術分野】
【０００１】
本考案は、高速道路の出口で逆走する自動車をセンサーで感知し、通信機で警察に通報し、扉式バーを開閉し、逆走する自動車の車上のランプを点灯させるシステムに関するものである。
【考案の概要】
【考案が解決しようとする課題】
【０００２】
高速道路では、間違って出口から進入し逆走する自動車が多く、正しく走行している自動車との衝突などの事故につながる問題がある。従って、逆走する自動車に間違いを認知させ自動車の走行を止めることや、逆走している自動車を他の自動車に気付かせることで、事故を未然に防ごうとする必要がある。
【課題を解決するための手段】
【０００３】
本考案は、自動車の車上に通信機能付きランプを設置し、逆走してくる自動車を高速道路両脇に設置したセンサーで感知し、通信機で警察に通報し、逆走車のランプを点灯させ、また扉式のバーを閉めることで、逆走してくる自動車だけでなく正しく走行している自動車にも気づかせて走行を止めることができることで、問題点を解決している。
【考案の効果】
【０００４】
上述の様に、本考案の通信機能付きランプ点灯システムは、高速道路での逆走による事故を防ぐことが可能になり、事故による死傷や経済的負担を軽減させることに役立つ。
【図面の簡単な説明】
【０００５】
【図１】本考案の通信機能付きランプ点灯システムで、逆走する自動車がセンサーに感知される直前の俯瞰図である。
【図２】本考案の通信機能付きランプ点灯システムで、逆走する自動車がセンサーに感知された直後の俯瞰図である。
【図３】本考案の通信機能付きランプが設置された自動車の側面図である。
【符号の説明】
【０００６】
１    開閉扉式バー
２    通信機
３    センサー
４    ランプ
５    自動車（正しく走行している）
６    自動車（逆走している）
【図１】
0003222401.tif 000003
【図２】
0003222401.tif 000004
【図３】
0003222401.tif 000005
【手続補正書】
【提出日】令和1年5月15日(2019.5.15)
【手続補正１】
【補正対象書類名】実用新案登録請求の範囲
【補正対象項目名】全文
【補正方法】変更
【補正の内容】
【実用新案登録請求の範囲】
【請求項１】
高速道路の出口で逆走する自動車を感知するセンサーと、
前記センサーで逆走する自動車を感知した際に、警察に通報する通信機と、
前記センサーで逆走する自動車を感知した際に、開閉動作を行う扉式バーと、
逆走車の車上に設けられた通信機能付きランプであって、前記センサーによって逆走していることを感知した際に、点灯する通信機能付きランプと、
を備えたシステム。